(57)【要約】【課題】カメラマン以外のスタジオにいる関係者に認識できるようにする機能を提供する。【解決手段】複数のレンズと映像表示手段とを有する撮像装置と該複数の撮像装置の映像を選択する手段と、該選択する手段の現用選択信号と予備選択信号を前記複数の撮像装置に送る手段と、前記現用選択信号を前記複数の撮像装置の前面に赤で表示する警告手段と、前記現用選択信号を前記映像表示手段の背面または撮像装置の背面に赤で表示する手段と、前記予備選択信号を前記映像表示手段の背面または撮像装置の背面に緑で表示する手段とを有する、撮像システムにおいて、前記現用選択信号がｏｆｆの場合で前記予備選択信号がｏｎ場合は緑を表示する警告手段を前記レンズまたは前記映像表示手段または前記撮像装置の前面に備える。【選択図】図１
2011172054.tif 000002
【特許請求の範囲】
【請求項１】
複数のレンズと映像表示手段とを有する撮像装置と該複数の撮像装置の映像を選択する手段と、該選択する手段の現用選択信号と予備選択信号を前記複数の撮像装置に送る手段と、前記現用選択信号を前記複数の撮像装置の前面に赤で表示する警告手段と、前記現用選択信号を前記映像表示手段の背面または撮像装置の背面に赤で表示する手段と、前記予備選択信号を前記映像表示手段の背面または撮像装置の背面に緑で表示する手段とを有する、撮像システムにおいて、
前記現用選択信号がｏｆｆの場合で前記予備選択信号がｏｎ場合は緑を表示する警告手段を前記レンズまたは前記映像表示手段または前記撮像装置の前面に備えることを特徴とする撮像システム。
【請求項２】
映像を選択する手段のオンエアーするまたは録画する対象（以下現用）選択信号がｏｎの場合は赤の警報を表示し、現用選択信号がｏｆｆの場合で前記映像を選択する手段の次にオンエアーするまたは次に録画するまたは予備に録画する対象カメラ（以下予備）選択信号がｏｎ場合は緑の警報を表示する警報表示装置または該警報表示装置を前面に備えることを特徴とするレンズまたは映像表示装置またはスタジオアダプタまたは撮像装置。
【発明の詳細な説明】
【技術分野】
【０００１】
本発明は、撮像装置に関するものである。
【背景技術】
【０００２】
従来のテレビジョンカメラやスチルカメラなどの撮像装置には、撮影者が被写体や画枠、フォーカスを確認する表示装置（ビューファインダ）が備えられている。
スタジオ内における番組制作や放送用の中継等では、複数のテレビジョンカメラが使用され、映像を選択するスイッチャからＣＣＵ経由でオンエアーするまたは録画する対象（以下現用）カメラに赤タリー信号を送信しレンズまたは映像表示手段または前記撮像装置の前面の大型タリー（以下フロントタリー）にカメラマン用タリーおよびを赤色点灯させ演者は、フロントタリーを目視し撮影カメラを認識し目線を合わせる（特許文献１参照）。
また次にオンエアーするまたは次に録画するまたは予備に録画する対象（以下予備）カメラにに対し予備用の緑タリーを送信しビューファインダー画面側のタリーまたはテレビジョンカメラの背面のタリーを緑色点灯させカメラマンに対応を促している。
【先行技術文献】
【特許文献】
【０００３】
【特許文献１】特開２００２−２７１６５１号公報
【発明の概要】
【発明が解決しようとする課題】
【０００４】
従来は、演者は予備用の緑タリーを目視できない。
本発明の目的は、前記の問題点を解決するため、演者が予備用の緑タリーを目視できるようにする機能を提供することにある。
【課題を解決するための手段】
【０００５】
本発明は、上記課題を解決するため、複数のレンズと映像表示手段とを有する撮像装置と該複数の撮像装置の映像を選択する手段と、該選択する手段の現用選択信号と予備選択信号を前記複数の撮像装置に送る手段と、前記現用選択信号を前記複数の撮像装置の前面に赤で表示する警告手段と、前記現用選択信号を前記映像表示手段の背面または撮像装置の背面に赤で表示する手段と、前記予備選択信号を前記映像表示手段の背面または撮像装置の背面に緑で表示する手段とを有する、撮像システムにおいて、前記現用選択信号がｏｆｆの場合で前記予備選択信号がｏｎ場合は緑を表示する警告手段を前記レンズまたは前記映像表示手段または前記撮像装置の前面に備えることを特徴とする撮像システムである。
【０００６】
映像を選択する手段のオンエアーするまたは録画する対象（以下現用）選択信号がｏｎの場合は赤の警報を表示し、現用選択信号がｏｆｆの場合で前記映像を選択する手段の次にオンエアーするまたは次に録画するまたは予備に録画する対象カメラ（以下予備）選択信号がｏｎ場合は緑の警報を表示する警報表示装置または該警報表示装置を前面に備えることを特徴とするレンズまたは映像表示装置またはスタジオアダプタまたは撮像装置である。
【発明の効果】
【０００７】
上記の様に本発明によれば、複数台のカメラを運用するスタジオシステムでフロントタリーでオンエアー・録画状態、スタンバイ状態、裏撮りカメラ状態を表示しスタジオの撮影関係者が状態およびカメラの切り替わりを認識できる。
【図面の簡単な説明】
【０００８】
【図１】本発明の一実施例の警告手段（タリーランプ）を示す模式図
【図２】本発明の一実施例の全体構成の撮像システムを示すブロック図
【図３】本発明の一実施例の駆動回路を示すブロック図
【発明を実施するための形態】
【実施例１】
【０００９】
以下、本発明の一実施例を図１の本発明の一実施例の警告手段（タリーランプ）を示す模式図と図２の本発明の全体構成の撮像システムを示すブロック図とを用いて説明する。
【００１０】
本発明の一実施例を図１の本発明の一実施例の警告手段（タリーランプ）を示す模式図において、Ｄｒは赤ＬＥＤでＤｇは緑ＬＥＤである。赤ＬＥＤのＤｒと緑ＬＥＤのＤｇとが図１の様に市松にならんでいても良いし、交互にならんでいても良いし、赤ＬＥＤのＤｒと緑ＬＥＤのＤｇとが少数で拡散板を追加しても良い。
【００１１】
本発明の全体構成の撮像装置を示すブロック図である図２において、１Ａと１Ｂと１Ｎとはレンズであり、２Ａと２Ｂと２Ｎとはカメラであり、３と３Ａと３Ｂと３Ｎはフロントタリーであり、４Ａと４Ｂと４Ｎとはビューファインダ（ＶＦ：表示装置）であり、５Ａと５Ｂと５Ｎとはカメラケーブルであり、６Ａと６Ｂと６Ｎとは制御部（ＣＣＵ）であり、７Ａと７Ｂと７Ｎとは映像同軸ケーブルとタリーケーブルであり、８は映像スイッチャーであり、９はスタジオアダプタである。
５Ａ，５Ｂ、５Ｎは、トライアックスケーブルまたは光複合ケーブルまたは同軸電源線複合ケーブル等のカメラケーブルである。
【００１２】
本発明の一実施例の駆動回路を示すブロック図の図３のように、スイッチャー８からのタリー出力信号のR-TallyとG-Tallyに応じ、赤ＬＥＤのＤｒと緑ＬＥＤのＤｇとのいずれかを点灯させる駆動回路をビューファインダー４Ａ、４Ｂ、４Ｎの内部に設ける。結果スイッチャー８からオンエアーカメラへ赤タリー信号R-Tallyのｏｎが出力されるとフロントタリー３は、赤色に点灯。赤タリー信号R-Tallyのｏｆｆ状態でスタンバイカメラへ緑タリー信号G-Tallyのｏｎが出力されるとフロントタリー３は、緑色点灯させる。
図３の反転論理（ＩＮＶ）ＩＣのＩＣ１と、論理積（ＡＮＤ）ＩＣのＩＣ２とがあるので、R-Tallyのｏｎでは、G-Tallyのｏｎでも赤色に点灯し、緑色点灯しない。
反転論理（ＩＮＶ）ＩＣのＩＣ１と、論理積（ＡＮＤ）ＩＣのＩＣ２とがあるので、R-Tallyのｏｎでは、G-Tallyのｏｎでも赤色に点灯し、緑色点灯しない。
【００１３】
本発明は、予備用の緑タリーをカメラマン以外のスタジオにいる関係者に認識できるようにすることで、特に演者は、カメラの切替わりを事前に知り、目線を合わせる準備ができる。
【００１４】
また、予備用の緑タリーより、現用の赤タリーが優先表示されることで、演者が迷うことなく、現用の赤タリーのカメラに目線を合わせることができる。
【符号の説明】
【００１５】
１Ａ，１Ｂ，１Ｎ：レンズ、
２Ａ，２Ｂ，２Ｎ：カメラ、
３，３Ａ，３Ｂ、３Ｎ：フロントタリー、
４Ａ，４Ｂ、４Ｎ：ビューファインダ（ＶＦ：表示装置）、
５Ａ，５Ｂ、５Ｎ：カメラケーブル、
６Ａ，６Ｂ、６Ｎ：制御部（ＣＣＵ）、
７Ａ，７Ｂ、７Ｎ：映像同軸ケーブルとタリーケーブル、
８：映像スイッチャー、９：スタジオアダプタ、
Ｄｒ：赤ＬＥＤ、Ｄｇ：緑ＬＥＤ、Ｑ１，Ｑ２：ＭＯＳＦＥＴ，
ＩＣ１：反転論理（ＩＮＶ）ＩＣ、ＩＣ２：論理積（ＡＮＤ）ＩＣ、
【図１】
2011172054.tif 000003
【図２】
2011172054.tif 000004
【図３】
2011172054.tif 000005